(57)【要約】【課題】記録材を搬送する搬送部材を支持する支持部材を移動させて記録材の搬送経路からこの搬送部材を退避させる際に生じうる、支持部材の装置側方への突出を抑制する。【解決手段】第３案内部材５３０（（Ａ）参照）の突出部５３６がユーザにより上方に向けて押圧されることで、第３案内部材５３０が上方に移動する。これにより、第３案内部材５３０に取り付けられた回転ロールも上方に移動し、回転ロールが駆動ロールから離間するようになる。また第３案内部材５３０の上方への移動によって、（Ｂ）に示すように、第２案内部材５２０のうちの第３案内部材５３０に接続されている側が上方に向かって移動し、第２案内部材５２０は、シャフト５２２を中心として回転する。そして、この回転によって、第２案内部材５２０に設けられた回転ロールが駆動ロールから離れるようになる。【選択図】図３
2012123064.tif 000002
【特許請求の範囲】
【請求項１】
記録材の搬送方向における下流側に進むに従い上方および下方の何れか一方向に変位するように設けられ、当該記録材が搬送される搬送経路と、
前記搬送経路上の記録材を搬送する搬送部材を支持し、前記一方向への移動が可能に設けられた支持部材と、
前記支持部材よりも記録材の搬送方向下流側に設けられるとともに前記搬送経路上の記録材を搬送する搬送部材が取り付けられ、当該支持部材の前記一方向への前記移動によって予め定められた箇所を中心に回転し、取り付けられた当該搬送部材を当該搬送経路から離れる方向に移動させる回転部材と、
を備える記録材処理装置。
【請求項２】
前記搬送経路から分岐し、前記記録材が搬送される分岐経路と、
前記支持部材に取り付けられた軸を中心に揺動可能に設けられるとともに、前記搬送経路と前記分岐経路との接続部に設けられ、記録材の搬送先を当該搬送経路から当該分岐経路に切り替える切り替え部材と、
前記一方向への前記支持部材の前記移動を案内する案内部と、
を備え、
前記案内部は、前記支持部材に取り付けられた前記軸を案内することで当該支持部材の前記案内を行うことを特徴とする請求項１記載の記録材処理装置。
【請求項３】
前記記録材処理装置に対し開閉可能に設けられ、閉じられた状態にて当該記録材処理装置の少なくとも一部を覆う覆い部材を更に備え、
前記覆い部材が閉じられる際に当該覆い部材により前記支持部材が押圧され、前記一方向へ移動した当該支持部材が当該一方向とは反対方向に移動することを特徴とする請求項１又は２に記載の記録材処理装置。
【請求項４】
前記搬送経路から分岐し、前記記録材が搬送される分岐経路と、
前記搬送経路と前記分岐経路との接続部に設けられるとともに前記支持部材により支持され、記録材の搬送先を当該搬送経路から当該分岐経路に切り替える切り替え部材と、
を更に備え、
前記接続部を通過した記録材が前記搬送経路に沿って搬送される際、当該記録材は、当該接続部において、前記切り替え部材と前記支持部材との間に形成された間隙を通過し、
前記搬送経路上に記録材が位置している状態にて前記支持部材が前記一方向に向かって移動する際、当該記録材のうちの前記間隙に位置する部位が前記切り替え部材により押圧され、当該搬送経路から離れる方向に当該部位が移動することを特徴とする請求項１乃至３の何れかに記載の記録材処理装置。
【請求項５】
記録材に画像を形成する画像形成装置と、
記録材の搬送方向における下流側に進むに従い上方および下方の何れか一方向に変位するように設けられ、前記画像形成装置により画像が形成された記録材が搬送される搬送経路と、
前記搬送経路上の記録材を搬送する搬送部材を支持し、前記一方向への移動が可能に設けられた支持部材と、
前記支持部材よりも記録材の搬送方向下流側に設けられるとともに前記搬送経路上の記録材を搬送する搬送部材が取り付けられ、当該支持部材の前記一方向への前記移動によって予め定められた箇所を中心に回転し、取り付けられた当該搬送部材を当該搬送経路から離れる方向に移動させる回転部材と、
を備える記録材処理システム。
【発明の詳細な説明】
【技術分野】
【０００１】
本発明は、記録材処理装置および記録材処理システムに関する。
【背景技術】
【０００２】
リア側の端部がヒンジ機構によって回転自在に取り付けられており、バッファー用ロールの外周で用紙のジャムが発生した場合に、フロント側を下方に回転させることによって、バッファー用ロールの下方にジャムクリアスペースが形成される用紙後処理装置が提案されている（例えば、特許文献１参照）。
【先行技術文献】
【特許文献】
【０００３】
【特許文献１】特開２００５−２５７８４２号公報
【発明の概要】
【発明が解決しようとする課題】
【０００４】
本発明の目的は、記録材を搬送する搬送部材を支持する支持部材を移動させて記録材の搬送経路からこの搬送部材を退避させる際に生じうる、支持部材の装置側方への突出を抑制することにある。
【課題を解決するための手段】
【０００５】
請求項１に記載の発明は、記録材の搬送方向における下流側に進むに従い上方および下方の何れか一方向に変位するように設けられ、当該記録材が搬送される搬送経路と、前記搬送経路上の記録材を搬送する搬送部材を支持し、前記一方向への移動が可能に設けられた支持部材と、前記支持部材よりも記録材の搬送方向下流側に設けられるとともに前記搬送経路上の記録材を搬送する搬送部材が取り付けられ、当該支持部材の前記一方向への前記移動によって予め定められた箇所を中心に回転し、取り付けられた当該搬送部材を当該搬送経路から離れる方向に移動させる回転部材と、を備える記録材処理装置である。
請求項２に記載の発明は、前記搬送経路から分岐し、前記記録材が搬送される分岐経路と、前記支持部材に取り付けられた軸を中心に揺動可能に設けられるとともに、前記搬送経路と前記分岐経路との接続部に設けられ、記録材の搬送先を当該搬送経路から当該分岐経路に切り替える切り替え部材と、前記一方向への前記支持部材の前記移動を案内する案内部と、を備え、前記案内部は、前記支持部材に取り付けられた前記軸を案内することで当該支持部材の前記案内を行うことを特徴とする請求項１記載の記録材処理装置である。
請求項３に記載の発明は、前記記録材処理装置に対し開閉可能に設けられ、閉じられた状態にて当該記録材処理装置の少なくとも一部を覆う覆い部材を更に備え、前記覆い部材が閉じられる際に当該覆い部材により前記支持部材が押圧され、前記一方向へ移動した当該支持部材が当該一方向とは反対方向に移動することを特徴とする請求項１又は２に記載の記録材処理装置である。
請求項４に記載の発明は、前記搬送経路から分岐し、前記記録材が搬送される分岐経路と、前記搬送経路と前記分岐経路との接続部に設けられるとともに前記支持部材により支持され、記録材の搬送先を当該搬送経路から当該分岐経路に切り替える切り替え部材と、を更に備え、前記接続部を通過した記録材が前記搬送経路に沿って搬送される際、当該記録材は、当該接続部において、前記切り替え部材と前記支持部材との間に形成された間隙を通過し、前記搬送経路上に記録材が位置している状態にて前記支持部材が前記一方向に向かって移動する際、当該記録材のうちの前記間隙に位置する部位が前記切り替え部材により押圧され、当該搬送経路から離れる方向に当該部位が移動することを特徴とする請求項１乃至３の何れかに記載の記録材処理装置である。
【０００６】
請求項５に記載の発明は、記録材に画像を形成する画像形成装置と、記録材の搬送方向における下流側に進むに従い上方および下方の何れか一方向に変位するように設けられ、前記画像形成装置により画像が形成された記録材が搬送される搬送経路と、前記搬送経路上の記録材を搬送する搬送部材を支持し、前記一方向への移動が可能に設けられた支持部材と、前記支持部材よりも記録材の搬送方向下流側に設けられるとともに前記搬送経路上の記録材を搬送する搬送部材が取り付けられ、当該支持部材の前記一方向への前記移動によって予め定められた箇所を中心に回転し、取り付けられた当該搬送部材を当該搬送経路から離れる方向に移動させる回転部材と、を備える記録材処理システムである。
【発明の効果】
【０００７】
請求項１の発明によれば、記録材を搬送する搬送部材を支持する支持部材を移動させて記録材の搬送経路からこの搬送部材を退避させる際に生じうる、支持部材の装置側方への突出を抑制することができる。
請求項２の発明によれば、案内用に設けた専用の部位が案内部によって案内される場合に比べ、装置の小型化が可能となる。
請求項３の発明によれば、特別な操作を行わずに支持部材を予め定められた箇所まで移動させることが可能となる。
請求項４の発明によれば、搬送経路上に記録材がそのまま位置している場合に比べ、搬送経路上の記録材の除去を行いやすくすることができる。
請求項５の発明によれば、記録材を搬送する搬送部材を支持する支持部材を移動させて記録材の搬送経路からこの搬送部材を退避させる際に生じうる、支持部材の装置側方への突出を抑制することができる。
【図面の簡単な説明】
【０００８】
【図１】本実施の形態が適用される用紙処理システムの全体構成を示した図である。
【図２】排出ロール、搬送ロールの周辺の構造を説明するための図である。
【図３】用紙処理装置を上方且つ画像形成装置側から眺めた場合の斜視図である。
【図４】フロントカバーの閉操作がユーザによりなされたときの第３案内部材の動きを説明するための図である。
【図５】装置フレームを説明するための図である。
【発明を実施するための形態】
【０００９】
以下、添付図面を参照して、本発明の実施形態について詳細に説明する。
図１は、本実施の形態が適用される用紙処理システム１の全体構成を示した図である。
図１に示す用紙処理システム１は、例えば電子写真方式によって記録材の一例としての用紙Ｐに対しカラー画像を形成するプリンタや複写機等の画像形成装置２と、画像形成装置２から排出される用紙Ｐに対して後処理を施す用紙処理装置４（記録材処理装置の一例）とを備えている。
【００１０】
ここで画像形成装置２は、画像形成装置本体２Ａと、例えば液晶ディスプレイにより構成され、ユーザに対して情報を表示するとともにユーザからの指示（入力）を受け付けるＵＩ（User Interface）とを備えている。また、画像形成装置２は、画像形成装置本体２Ａの内部に、用紙Ｐに対して例えばトナー像を形成する画像形成部（不図示）を備えている。また、この画像形成部によって用紙Ｐに形成されたトナー像を加熱および加圧することでこの用紙Ｐに定着する定着装置２Ｅ、定着装置２Ｅを通過した用紙Ｐを画像形成装置２の外部に排出する排出ロール２Ｆが設けられている。さらに画像形成装置２は、画像形成装置本体２Ａにおける上記画像形成部、定着装置２Ｅなどを制御する制御部２Ｃを備えている。
【００１１】
なお画像形成装置２に設けられた上記画像形成部は、例えば、感光体ドラム、この感光体ドラムを帯電する帯電器、感光体ドラムにレーザ光を照射し静電潜像を形成するレーザ露光器、感光体ドラムに形成された上記静電潜像をトナーを用いて現像する現像装置、感光体ドラム上に形成されたトナー像を用紙Ｐに対し転写する転写装置とから構成することができる。なお本実施形態では、電子写真方式によって画像を形成する場合を例示したが、インクジェット方式などによって画像を形成することもできる。
【００１２】
一方、用紙処理装置４は、装置本体４１と、用紙束を生成するとともにこの用紙束の端部に対しステープル（金属針）を用いて綴じ処理を行う端綴じ部４３とを備えている。さらに用紙処理装置４には、画像形成装置２における制御部２Ｃと通信可能に設けられ、用紙処理装置４の全体を制御する制御部１００が設けられている。また、用紙処理装置４は、端綴じ部４３から排出された用紙束が載せられる用紙積載部材４５を備えている。ここでこの用紙積載部材４５は、用紙束が積載されるに従い下方に移動する。
【００１３】
また用紙処理装置４は、装置本体４１の上部に設けられ用紙処理装置４での処理が行われない用紙Ｐが積載される上部積載部４６を備えている。さらに用紙処理装置４には、上部積載部４６に向けて用紙Ｐが順次搬送される際に用紙Ｐが通過する第１用紙搬送経路Ｒ１（搬送経路の一例）が設けられている。また、第１用紙搬送経路Ｒ１から分岐した状態で設けられ、端綴じ部４３に向けて用紙Ｐが搬送される際に用紙Ｐが通過する第２用紙搬送経路Ｒ２（分岐経路の一例）が設けられている。ここで第１用紙搬送経路Ｒ１は、水平に対し傾斜した状態で設けられ、用紙Ｐの搬送方向に進むに従い上方に変位するように設けられている。
【００１４】
また用紙処理装置４には、第１用紙搬送経路Ｒ１に沿って搬送されてきた用紙Ｐを上部積載部４６に排出する排出ロール４６１が設けられている。ここでこの排出ロール４６１は、不図示のモータによって回転駆動する駆動ロール４６１Ａと、駆動ロール４６１Ａに押し付けられた状態で設けられ駆動ロール４６１Ａから駆動力を受け回転する回転ロール４６１Ｂとから構成されている。なお本実施形態では、駆動ロール４６１Ａをモータにより回転駆動させているが、回転ロール４６１Ｂ側を回転駆動するようにしてもよい。
【００１５】
また本実施形態の用紙処理装置４には、排出ロール４６１よりも用紙Ｐの搬送方向における上流側に、第１用紙搬送経路Ｒ１上の用紙Ｐを排出ロール４６１に向けて搬送する搬送ロール４６２が設けられている。ここでこの搬送ロール４６２は、不図示のモータによって回転駆動する駆動ロール４６２Ａと、駆動ロール４６２Ａに押し付けられた状態で設けられ駆動ロール４６２Ａから駆動力を受け回転する回転ロール４６２Ｂとから構成されている。ここで上記と同様、本実施形態では、駆動ロール４６２Ａをモータにより回転駆動させているが、回転ロール４６２Ｂ側を回転駆動するようにしてもよい。なお、搬送ロール４６２の回転ロール４６２Ｂ、および、排出ロール４６１の回転ロール４６１Ｂは、搬送経路として機能する第１用紙搬送経路Ｒ１上の用紙Ｐを搬送する搬送部材として捉えることができる。
【００１６】
また用紙処理装置４には、第２用紙搬送経路Ｒ２が第１用紙搬送経路Ｒ１から分岐した分岐部（第１用紙搬送経路Ｒ１と第２用紙搬送経路Ｒ２との接続部）に、切り替え部材４７が設けられている。さらに切り替え部材４７を駆動するソレノイド（不図示）が設けられている。ここで、切り替え部材４７は、予め定められた軸を中心に揺動可能（回転可能）に設けられている。付言すると、切り替え部材４７は、用紙Ｐの搬送方向における下流側に一端を有し、用紙Ｐの搬送方向における上流側に他端を有するとともに、用紙Ｐの搬送方向における下流側に位置するこの一端を中心に回転可能に設けられている。
【００１７】
ここで、切り替え部材４７は、第１用紙搬送経路Ｒ１から退避した状態から第１用紙搬送経路Ｒ１に突出した状態に変位し、画像形成装置２から搬送されてきた用紙Ｐの搬送先を、第１用紙搬送経路Ｒ１から第２用紙搬送経路Ｒ２に切り替える。なお、切り替え部材４７の第１用紙搬送経路Ｒ１への突出は、切り替え部材４７の上記他端（自由端）が第１用紙搬送経路Ｒ１に移動するように切り替え部材４７が回転することで行われる。また切り替え部材４７は、第１用紙搬送経路Ｒ１に突出した状態から第１用紙搬送経路Ｒ１から退避した状態に変位し、画像形成装置２から搬送されてきた用紙Ｐの搬送先を、第２用紙搬送経路Ｒ２から第１用紙搬送経路Ｒ１に切り替える。
【００１８】
また用紙処理装置４には、切り替え部材４７よりも用紙Ｐの搬送方向における下流側に設けられるとともに第２用紙搬送経路Ｒ２に沿って設けられ、第２用紙搬送経路Ｒ２を搬送される用紙Ｐの案内を行う第１案内部材５１が設けられている。また、第２用紙搬送経路Ｒ２を挟み第１案内部材５１の対向位置に配置され、同じく用紙Ｐの案内を行う第２案内部材５２が設けられている。ここでこの第２案内部材５２は、用紙Ｐの案内を行う第１案内面５２Ａ、第２案内面５２Ｂを有している。ここで第１案内面５２Ａは、切り替え部材４７よりも用紙Ｐの搬送方向における下流側に設けられるとともに第２用紙搬送経路Ｒ２に沿うように設けられ、また、第１案内部材５１の対向位置に配置され、第２用紙搬送経路Ｒ２を搬送される用紙Ｐの案内を行う。
【００１９】
また、第２案内面５２Ｂは、第１案内面５２Ａよりも用紙Ｐの搬送方向における上流側に設けられるとともにこの第１案内面５２Ａに接続して設けられ、また、第２用紙搬送経路Ｒ２を挟み切り替え部材４７の対向位置に配置されている。また第２案内面５２Ｂは、用紙Ｐの搬送方向における下流側に向かうに従い、第２用紙搬送経路Ｒ２に接近するように設けられている。付言すると、第２案内面５２Ｂは、水平方向に対し傾斜した状態で設けられている。この第２案内面５２Ｂは、画像形成装置２から排出された用紙Ｐの先端が垂れ下がっているときなどに、この先端を案内し、用紙Ｐを、第１案内部材５１と第１案内面５２Ａとの間に誘導する。
【００２０】
端綴じ部４３は、順次搬送されてくる用紙Ｐが積載されるコンパイル部４３１と、回転駆動しコンパイル部４３１に向けて用紙Ｐを排出する一対のローラであるイクジットロール４３２とを備えている。また端綴じ部４３には、用紙の後端をコンパイル部４３１のエンドガイド４３１Ａに突き当てるために回転するパドル５８が設けられている。更に、パドル５８によってエンドガイド４３１Ａに突き当てられ端部の揃え処理が施された用紙束の、この端部に対してステープルを用いて綴じ処理を行うステープラ４３５が設けられている。
【００２１】
また端綴じ部４３には、コンパイル部４３１にて集積され且つステープラ４３５による綴じ処理が行われた用紙束を、排出口４１１を通じ、用紙積載部材４５へ搬送するイジェクトロール４３３が設けられている。さらに、イジェクトロール４３３による用紙束の排出が行われる際に、この用紙束に押圧配置される押圧ロール４３６が設けられている。なおこの押圧ロール４３６は、イジェクトロール４３３による用紙束の排出が行われていないときには、上方に退避している。
【００２２】
ここで、端綴じ部４３による綴じ処理が行われる際には、切り替え部材４７によって、用紙Ｐの搬送先が、第２用紙搬送経路Ｒ２に設定される。これにより、画像形成装置２から順次搬送されてくる用紙Ｐが、第２用紙搬送経路Ｒ２を経由してコンパイル部４３１に到達し、このコンパイル部４３１に対し用紙Ｐが順次排出される。そして排出された用紙Ｐは、パドル５８によってエンドガイド４３１Ａに向かって移動する。これによりコンパイル部４３１上には、複数枚の用紙Ｐにより構成された用紙束が生成される。次いで、ステープラ４３５によって、生成されたこの用紙束の端部に対して綴じ処理が行われる。その後、この用紙束に対して押圧ロール４３６が進出するとともに、イジェクトロール４３３の回転が行われる。これにより、用紙束が移動し用紙積載部材４５上にこの用紙束が積載される。
【００２３】
ところで本実施形態では、用紙Ｐが第１用紙搬送経路Ｒ１を搬送されている際に、この第１用紙搬送経路Ｒ１にて用紙Ｐの詰まり（ジャム）が発生することがある。本実施形態の用紙処理装置４では、排出ロール４６１のうちの上方に位置する回転ロール４６１Ｂ、および、搬送ロール４６２のうちの上方に位置する回転ロール４６２Ｂが上方に移動できるようになっている。そして本実施形態では、この移動によって、回転ロール４６１Ｂが駆動ロール４６１Ａから離間し、また、回転ロール４６２Ｂが駆動ロール４６２Ａから離間するようになる。そしてこの離間によって、詰まりの原因となった用紙Ｐが移動できるようになり用紙Ｐの詰まりが解消されるようになっている。以下、排出ロール４６１、搬送ロール４６２の周辺の構造について詳細に説明する。
【００２４】
図２は、排出ロール４６１、搬送ロール４６２の周辺の構造を説明するための図である。
上記では説明を省略したが、装置本体４１側には、第１用紙搬送経路Ｒ１を搬送される用紙Ｐを案内する第１案内部材５１０が設けられている。この第１案内部材５１０は、円弧を描くように形成され第１用紙搬送経路Ｒ１に沿うように設けられた用紙案内面５１１を有し、この用紙案内面５１１を用いて、第１用紙搬送経路Ｒ１を搬送される用紙Ｐを案内する。ここで、排出ロール４６１に設けられた駆動ロール４６１Ａ、および、搬送ロール４６２に設けられた駆動ロール４６２Ａは、この第１案内部材５１０に取り付けられている。
【００２５】
また本実施形態では、第１案内部材５１０の対向位置に、第１用紙搬送経路Ｒ１を搬送される用紙Ｐの案内を行う第２案内部材５２０、第３案内部材５３０が設けられている。なお本実施形態では、第１用紙搬送経路Ｒ１は、第１案内部材５１０と第２案内部材５２０との間、および、第１案内部材５１０と第３案内部材５３０との間を通過するように設けられている。また、本実施形態における第３案内部材５３０は、搬送部材として機能する回転ロール４６２Ｂを支持する支持部材として捉えることができる。また本実施形態における第２案内部材５２０は、シャフト５２２（詳細は後述）を中心として回転する回転部材として捉えることができる。
【００２６】
ここで第２案内部材５２０は、第１用紙搬送経路Ｒ１に面する箇所に第１用紙搬送経路Ｒ１に沿うように設けられた用紙案内面５２１を有し、この用紙案内面５２１を用いて、第１用紙搬送経路Ｒ１上の用紙Ｐを案内する。また本実施形態では、第２案内部材５２０のうちの用紙Ｐの搬送方向下流側に位置する端部に、シャフト５２２が通されており、このシャフト５２２を中心に第２案内部材５２０が回転できるようになっている。なお本実施形態では、この第２案内部材５２０に対し、排出ロール４６１に設けられた回転ロール４６１Ｂが取り付けられている。
【００２７】
一方、第３案内部材５３０は、用紙Ｐの搬送方向において、第２案内部材５２０よりも上流側に設けられている。また本実施形態では、第１用紙搬送経路Ｒ１が下方から上方に向かうように設けられているため、第２案内部材５２０よりも下方に第３案内部材５３０が設けられている。また第３案内部材５３０は、第１用紙搬送経路Ｒ１に面する箇所に、第１用紙搬送経路Ｒ１に沿うように設けられた用紙案内面５３１を有し、この用紙案内面５３１を用いて、第１用紙搬送経路Ｒ１上の用紙Ｐを案内する。また本実施形態では、この第３案内部材５３０に対し、搬送ロール４６２に設けられた回転ロール４６２Ｂが取り付けられている。
【００２８】
また本実施形態では、第３案内部材５３０の上部且つ第３案内部材５３０のうちの第２案内部材５２０側、および、第２案内部材５２０の下部且つ第２案内部材５２０のうちの第３案内部材５３０側、の両者を貫通するように設けられたシャフト５４０が設けられている。そして本実施形態では、このシャフト５４０を中心に第２案内部材５２０および第３案内部材５３０が回転できるようになっている。また本実施形態では、第３案内部材５３０の下部且つ第３案内部材５３０の両端部（長手方向における両端部）に、第１用紙搬送経路Ｒ１側に向かって突出する突出片５３２が形成されている。
【００２９】
付言すると、第３案内部材５３０は、用紙処理装置４の奥行き方向に沿って配置されており、この奥行き方向において、第３案内部材５３０の両端部には、突出片５３２が形成されている。そして本実施形態では、この突出片５３２に通されたシャフト５３３（軸の一例）により、切り替え部材４７が支持されている。なお本実施形態では、第１用紙搬送経路Ｒ１に沿って搬送される用紙Ｐが、切り替え部材４７が設けられた箇所を通過する際、この用紙Ｐは、切り替え部材４７と第３案内部材５３０との間に形成された間隙Ｇを通過していく。
【００３０】
ここで図３（用紙処理装置４を上方且つ画像形成装置２側から眺めた場合の斜視図）も参照し、各部の動きを説明する。
第１用紙搬送経路Ｒ１にて用紙Ｐの詰まりが生じた場合には、まずＵＩ（図１参照）を通じその旨がユーザに通知される。これにより、図１において図中手前側に位置しているフロントカバー（図１では不図示）の開操作がユーザによりなされる。次いで、第３案内部材５３０（図３（Ａ）参照）の側面５３５から突出した突出部５３６がユーザにより把持され且つこの突出部５３６が上方に向けて押圧されることで、第３案内部材５３０が上方に向かって移動する。なお上記では説明を省略したが、第２案内部材５２０および第３案内部材５３０は、箱状にされており、上面および複数の側面を有している。
【００３１】
ここで本実施形態では、第３案内部材５３０が上方に向かって移動することで、第３案内部材５３０に取り付けられた回転ロール４６２Ｂ（図２参照）も上方に移動し、回転ロール４６２Ｂが駆動ロール４６２Ａから離間するようになる。なお第３案内部材５３０が上方へ移動した際、切り替え部材４７も上方へ移動する。そしてこの移動によって、切り替え部材４７を駆動するソレノイド（不図示）から切り替え部材４７が離間する。
【００３２】
付言すると、本実施形態では、切り替え部材４７を駆動するソレノイドが装置本体４１側に設けられており、第３案内部材５３０の上方への移動に伴い切り替え部材４７が上方へ移動すると、このソレノイドから切り替え部材４７が離間する。そして本実施形態では、このように切り替え部材４７がソレノイドから離間すると、切り替え部材４７の自由端側（用紙Ｐの搬送方向上流側に位置する端部）が垂れ下がるようになる。
【００３３】
また本実施形態では、切り替え部材４７の上方へ移動に伴い、詰まり生じさせていた用紙Ｐが切り替え部材４７により持ち上げられ、この用紙Ｐが、第１案内部材５１０に設けられた用紙案内面５１１から浮くようになる。付言すると本実施形態では、上記のとおり、切り替え部材４７と第３案内部材５３０との間に形成された間隙Ｇを用紙Ｐが通過するようになっており、切り替え部材４７が上方へ移動する際に、用紙Ｐのうち間隙Ｇ内に位置する部位が切り替え部材４７により押圧され、第１用紙搬送経路Ｒ１から離れる方向にこの部位が移動する。そしてこの場合、用紙Ｐが用紙案内面５１１から浮くようになる。そしてこの場合、用紙案内面５１１に沿うように用紙Ｐが位置している場合に比べ、用紙Ｐの端部の把持を行いやすくなり、用紙Ｐの除去を行いやすくなる。
【００３４】
また本実施形態では、第３案内部材５３０の上方への移動によって、図３（Ｂ）に示すように、第２案内部材５２０のうちの第３案内部材５３０に接続されている側が上方に向かって移動し、そして、この移動によって、第２案内部材５２０は、シャフト５２２を中心として図中時計回り方向に回転するようになる。そして、この回転によって、排出ロール４６１の回転ロール４６１Ｂ（図２参照）が駆動ロール４６１Ａから離れるようになる。
【００３５】
このように本実施形態では、第３案内部材５３０を上方に移動させることで、搬送ロール４６２の回転ロール４６２Ｂが駆動ロール４６２Ａから離間し、排出ロール４６１の回転ロール４６１Ｂが駆動ロール４６１Ａから離間するようになる。そしてこの場合、第１用紙搬送経路Ｒ１上に位置している用紙Ｐ（詰まりの原因となった用紙Ｐ）が移動できるようになり、この用紙Ｐを図２において図中左方向に引っ張ることで、この用紙Ｐが第１用紙搬送経路Ｒ１上から除去されるようになる。
【００３６】
なお本実施形態では、第３案内部材５３０が上方に移動することで、図３（Ｂ）に示すように、第３案内部材５３０と第１案内部材５１０との間に間隙８００が形成される。さらに本実施形態における用紙処理装置４では、図３（Ｂ）に示すように、用紙処理装置４のフロント側およびリア側に装置フレーム７００が設けられているが、フロント側の装置フレーム７００には、第３案内部材５３０と第１案内部材５１０との間に形成される上記間隙８００へのユーザのアクセスを可能とする開口（切り欠き）７１０が形成されている。
【００３７】
このため本実施形態では、第１用紙搬送経路Ｒ１上の用紙Ｐの除去を、用紙処理装置４のフロント側から行うことができるようになっている。ここで本実施形態では、用紙処理装置４に隣接して画像形成装置２が設けられており（図１参照）、用紙処理装置４の左側面側（画像形成装置２が設けられている側）からの用紙Ｐの除去が困難となっている。そこで本実施形態では、フロント側の装置フレーム７００に開口７１０を形成し、フロント側からの用紙Ｐの除去を可能にしている。
【００３８】
ところで、本実施形態では、第２案内部材５２０に対する第３案内部材５３０の回転が可能な構成となっているが、第２案内部材５２０と第３案内部材５３０とが一体となった構成とすることもできる。ところでこの場合、一体に形成された第２案内部材５２０および第３案内部材５３０は、シャフト５２２（図２参照）を中心として回転することとなるが、この場合、第２案内部材５２０および第３案内部材５３０が上方に向かって移動する際に、第３案内部材５３０の端部（画像形成装置２側の端部）が画像形成装置２側に突出し、この端部と画像形成装置２との干渉が生じるおそれがある。
【００３９】
付言すると、本実施形態では、シャフト５２２よりも下方に第３案内部材５３０の下端部が位置しており、シャフト５２２が設けられている箇所を中心として第３案内部材５３０が上方に向かって移動する際、第３案内部材５３０の下端部が、図２の符号２Ａに示すように、円弧を描くように移動する。そしてこの場合、この下端部が画像形成装置２側に突出し、この下端部と画像形成装置２との干渉が生じるおそれがある。また第３案内部材５３０の下端部が画像形成装置２側に突出する場合、用紙処理装置４の占有面積を増加させることとなる。一方で、本実施形態の構成では、画像形成装置２側へ第３案内部材５３０が突出しない構成となっている。このため本実施形態では、第３案内部材５３０と画像形成装置２との干渉が抑制され、また、用紙処理装置４の占有面積の増加も抑制されるようになっている。
【００４０】
次に、用紙Ｐが除去された後の各部の動きについて説明する。用紙Ｐが除去された後は、上記とは逆の動作が実行される。即ち、図３（Ｂ）の状態にある（上方に移動した状態にある）第３案内部材５３０の突出部５３６がユーザにより把持され且つ下方に向けて押圧されることで、第３案内部材５３０が下方に向かって移動する。そしてこの下方への移動によって、第２案内部材５２０がシャフト５２２を中心として図中反時計まわり方向に回転する。そしてこれらの動作によって、搬送ロール４６２の回転ロール４６２Ｂが駆動ロール４６２Ａに接触し、排出ロール４６１の回転ロール４６１Ｂが駆動ロール４６１Ａに接触するようになる。そして最後に、フロントカバーの閉操作がなされる。
【００４１】
図４は、フロントカバーの閉操作がユーザによりなされたときの第３案内部材５３０の動きを説明するための図である。
上記では説明を省略したが、同図（Ａ）に示すように、フロントカバー６００（覆い部材の一例）の裏側には、フロントカバー６００の閉操作に伴い第３案内部材５３０の側面５３５に向かって進出する突起６１０が形成されている。ここでこの突起６１０の下部には、同図（Ａ）に示すように、フロントカバー６００から離れるに従い上方に向かう傾斜面６１１が形成されている。
【００４２】
ここで、フロントカバー６００の閉操作が開始されると、同図（Ｂ）に示すように、突起６１０が側面５３５に向かって進出し、同図（Ｃ）に示すように、突起６１０が突出部５３６に接触する。そしてフロントカバー６００が更に閉じられると、突起６１０の傾斜面６１１によって突出部５３６が下方に押圧され、同図（Ｄ）に示すように、第３案内部材５３０が下方に向かって移動する。そしてフロントカバー６００の閉操作が終了すると、突起６１０の移動も終了し、第３案内部材５３０が予め定められた箇所に位置決めされる状態となる。なおこの位置決めがなされると、搬送ロール４６２の回転ロール４６２Ｂが駆動ロール４６２Ａに予め定められた荷重で押し付けられ、排出ロール４６１の回転ロール４６１Ｂが予め定められた荷重で駆動ロール４６１Ａに押し付けられるようになる。
【００４３】
なお上記では、ユーザにより操作される部位（突出部５３６）がフロントカバー６００の突起６１０により押圧される場合を一例に説明したが、突出部５３６とは別に、第３案内部材５３０を下方に移動させるための専用の突出部を、第３案内部材５３０に設けることもできる。但し、このように専用の突出部を設けるよりも、突出部５３６がフロントカバー６００により押圧される構成とした方が、装置をより小型とすることが可能となる。また本実施形態では、ユーザの操作によって第３案内部材５３０が上下方向に移動する場合を説明したが、フロントカバー６００の開操作に連動して第３案内部材５３０が上方に移動し、フロントカバー６００の閉操作に連動して第３案内部材５３０が下方に移動する構成とすることもできる。
【００４４】
なお上記では説明を省略したが、装置本体４１のリア側に設けられている装置フレーム７００（図３参照）には、図５（装置フレームを説明するための図）の（Ａ）に示すように、上下方向に沿って延びる長穴７５０が形成されている。そして本実施形態では、この長穴７５０の内部に、図５（Ｂ）に示すように、切り替え部材４７を支持するシャフト５３３（図２も参照）のリア側の端部が挿入されている。なお図５（Ａ）は、用紙処理装置４のリア側から装置フレーム７００（リア側の装置フレーム７００）を眺めた場合の図であり、図５（Ｂ）は、同図（Ａ）のＶＢ−ＶＢ線における断面図である。
【００４５】
本実施形態では、上記のように第３案内部材５３０が上下方向に沿って移動するが、その際にガイドがないと、上下方向以外の方向に第３案内部材５３０が移動してしまうおそれがある。このため本実施形態では、上記長穴７５０内にシャフト５３３を配置し、シャフト５３３に対し装置フレーム７００が接触することで、第３案内部材５３０が上下方向に沿ってガイドされるようにしている。
【００４６】
なお本実施形態では、切り替え部材４７を支持するシャフト５３３をガイドする構成となっているが、専用の突起などを設けこの突起をガイドする構成とすることもできる。但し、このように専用の突起を設けるよりも、切り替え部材４７を支持するシャフト５３３をガイドする方が、部品点数の削減等が可能となり、装置の小型化が可能となる。なお装置フレーム７００のうちの長穴７５０が設けられている部位は、支持部材として機能する第３案内部材５３０を案内する案内部として捉えることができる。
【符号の説明】
【００４７】
１…用紙処理システム、２…画像形成装置、４…用紙処理装置、４７…切り替え部材、４６１Ｂ…回転ロール、４６２Ｂ…回転ロール、５２０…第２案内部材、５３０…第３案内部材、５３３…シャフト、６００…フロントカバー、７００…装置フレーム、７５０…長穴、Ｐ…用紙、Ｒ１…第１用紙搬送経路、Ｒ２…第２用紙搬送経路
【図１】
2012123064.tif 000003
【図２】
2012123064.tif 000004
【図３】
2012123064.tif 000005
【図４】
2012123064.tif 000006
【図５】
2012123064.tif 000007